(57)【要約】      （修正有）【課題】金属製湯たんぽ本体の下面側を平坦面に形成して、電磁調理器により効率良く加熱できるようにすると共に、湯たんぽ本体の上面側も平坦面に形成することにより、氷枕として使用する場合に使用者の頭を安定良く載せて使い心地が良くなるようにした湯たんぽを提供する。【解決手段】湯たんぽ本体１は、鋼板のプレス加工によって、略々下向きコ字状に形成されると共に、上面側が平坦面に形成された上板部２と、同様に、横断面及び縦断面が何れも略々上向きコ字状に形成されると共に、下面側が平坦面に形成された下板部３とからなるもので、上板部２と下板部３とは、接合縁部２ａ、３ｂ同士をはぜ締め加工又はかしめ加工することにより一体的に接合されていて、上板部２の平坦面部２ｏと下板部３の平坦面部３ｏとは互いに平行に形成されている。【選択図】図１
0003122300.tif 000002
【実用新案登録請求の範囲】
【請求項１】
金属製湯たんぽ本体の上面側と下面側とを互いに平行な平坦面に形成してなることを特徴とする湯たんぽ。
【請求項２】
前記湯たんぽ本体の上面側に設けられる湯出し入れ口の内径を６０〜１００ｍｍとしてなることを特徴とする請求項１に記載の湯たんぽ。
【請求項３】
前記湯たんぽ本体の上面側及び下面側には夫々湯たんぽ本体の内面側に突出する補強リブを形成してなることを特徴とする請求項１又は２に記載の湯たんぽ。
【考案の詳細な説明】
【技術分野】
【０００１】
本考案は、湯たんぽに関するものである。
【背景技術】
【０００２】
湯たんぽは、中に湯を入れて、主に寝床などで身体を温めるために使用されるもので、金属製又は陶製のものがあって、湯としては、湯沸かし器で沸かした湯や、ガスこんろ等に掛けたやかん等で沸かした湯を使用するのが普通であったが、近年、炎や赤熱部をもたず、安全で清潔な調理器である電磁調理器が一般に普及していることから、この電磁調理器に金属製の湯たんぽを載せ、中に入れた水を加熱することがしばしば行われている。
【０００３】
本考案の出願人は、以前に、湯たんぽを電磁調理器によって加熱する際に、湯たんぽ本体を効率良く且つ安定姿勢で加熱できるようにした、下記特許文献１に記載の湯たんぽを提案した。即ち、この湯たんぽは、金属製湯たんぽ本体の下面側を平坦面に形成したことを特徴とするもので、水を入れた湯たんぽ本体を電磁調理器で加熱する場合、湯たんぽ本体の下面側全体を電磁調理器のトッププレートの上面に当接乃至近接させることができ、それにより湯たんぽ本体を極めて効率良く加熱できて、その中の水を短時間で効果的に加熱することができる。
【特許文献１】特開２００４−１６５１１号公報
【考案の開示】
【考案が解決しようとする課題】
【０００４】
ところで、湯たんぽは、身体を温めるという本来の使用目的の他に、湯たんぽ本体内に氷を入れて、頭を冷やす氷枕として使用することも考えられる。そうすると、上記の特許文献１に記載の湯たんぽは、湯たんぽ本体の上面側が横断面及び縦断面の何れも凸曲面状に形成されているため、氷枕として使用する場合に、その上面側が凸曲状に膨らんだ湯たんぽ本体の上には頭を載せ難く、安定させ難くて、按配も悪くなる。この場合、頭を安定良く載せることができくように、タオル等を湯たんぽ本体に分厚く巻き付けてしまうと、その部厚いタオル等が断熱材となって、使用者の頭と湯たんぽ本体内の氷水との間の熱移動が緩慢となり、氷枕として十分に機能しなくなる。
【０００５】
本考案は、上記の課題に鑑み、金属製湯たんぽ本体の下面側を平坦面に形成して、電磁調理器により効率良く加熱できるようにすると共に、湯たんぽ本体の上面側も平坦面に形成することにより、氷枕として使用する場合に使用者の頭を安定良く載せて使い心地が良くなるようにした湯たんぽを提供することを目的とする。
【課題を解決するための手段】
【０００６】
上記課題を解決するための手段を、後述する実施形態の参照符号を付して説明すると、請求項１に係る考案の湯たんぽは、金属製湯たんぽ本体１の上面側と下面側とを互いに平行な平坦面に形成してなることを特徴とする。
【０００７】
請求項２は、請求項１に記載の湯たんぽにおいて、前記湯たんぽ本体１の上面側に設けられる湯出し入れ口６の内径を６０〜１００ｍｍとしてなることを特徴とする。
ことを特徴とする。
【０００８】
請求項３は、請求項１又は２に記載の湯たんぽにおいて、前記湯たんぽ本体１の上面側及び下面側には夫々湯たんぽ本体１の内面側に突出する補強リブ４，５を形成してなることを特徴とする。
【考案の効果】
【０００９】
上記解決手段による考案の効果を、後述する実施形態の参照符号を付して説明すると、請求項１に係る考案の湯たんぽＡによれば、先ず、この湯たんぽＡを身体などを温めるといった本来の目的で使用する場合に、金属製湯たんぽ本体１の下面側が平行な平坦面に形成されていることから、水を入れた湯たんぽ本体１を電磁調理器で加熱する際、湯たんぽ本体１の下面側全体を電磁調理器のトッププレートの上面に当接乃至近接させることができ、それにより湯たんぽ本体１を極めて効率良く加熱できて、その中の水を短時間で効果的に加熱することができる。
【００１０】
また湯たんぽ本体１の上面側と下面側とが互いに平行な平坦面に形成されているから、湯たんぽ本体１を加熱するにあたって、湯たんぽ本体１内に水を入れる際には、湯たんぽ本体１内の上部内にほとんど空気層を形成することなく、湯たんぽ本体１の内部全体に水を充填できて、湯たんぽ本体１の内容積を有効に利用できる。因みに、従来の湯たんぽのように、湯たんぽ本体の上面側が横断面及び縦断面の何れも凸曲面状に形成されていると共に、湯出し入れ口が湯たんぽ本体の長手方向一端部に設けてあると、湯たんぽ本体内に水を充填した時に、湯たんぽ本体内の上部には水の充填されない空間部ができて、湯たんぽ本体の内容積を有効に利用できなくなる。尚、本考案の湯たんぽＡは、湯出し入れ口６を湯たんぽ本体１の上面側の端部や中央部などの何処に設けても、湯たんぽ本体１の内部全体を有効に利用できる。
【００１１】
そして、本考案の湯たんぽＡの大きな効果として、湯たんぽＡを氷枕として使用する時には、湯たんぽ本体１の上面側が平坦面に形成されていることによって、使用者の頭を載せ易く、安定状態に載せることができると共に、使い心地が非常に良い。
【００１２】
請求項２に係る考案の湯たんぽのように、湯出し入れ口６の内径を６０〜１００ｍｍとすることにより、この湯たんぽＡを氷枕として使用する場合に、氷の塊片を湯たんぽ本体１に容易に入れることができる。この際、氷の塊片としては、例えば径が３０〜５０ｍｍといった大きなものを、そのまま湯出し入れ口６内に容易に入れることができ、しかしてこのように大きな径の氷の塊片を湯たんぽ本体１内に入れることによって、氷の状態を長くもたせることができ、氷枕として長い時間有効に使用することができる。
【００１３】
この場合、湯出し入れ口６の内径を６０ｍｍよりも小さくすると、氷の塊片を湯たんぽ本体１内に入れ難くなる。湯たんぽ本体１内に入れる氷の塊片を小さくすれば、湯出し入れ口６の内径が６０ｍｍ以下でも問題ないように思われるが、湯たんぽＡを氷枕として使用する場合、長い時間氷枕としての機能を持続させるためには、氷の塊片は出来るだけ大きいもの、好ましくは３０〜５０ｍｍ径のものがよいから、このように径の大きい塊片を湯たんぽ本体１の中に容易に入れるようにするには、湯出し入れ口６の内径は少なくとも６０ｍｍ程度が必要となる。また、湯出し入れ口６の内径を１００ｍｍ以上に大きくすれば、これを閉栓するキャップ７の径が大きくなって、湯たんぽＡの重量が増大すると共に、コストが高くつき、熱損失も大きくなる。
【００１４】
請求項３に係る考案の湯たんぽによれば、湯たんぽ本体１の上面側及び下面側に補強リブ４，５が形成されているから、湯たんぽ本体１を形成する上板部２及び下板部３の板厚が薄くても、この補強リブ４，５によって湯たんぽ本体１に十分な剛性が確保され、従って湯たんぽ本体１を軽量にすることができる。
【考案を実施するための最良の形態】
【００１５】
以下に本考案の好適な実施形態について図面を参照しながら説明すると、図１の(a) は本考案に係る湯たんぽＡの平面図、(b) は正面図であり、図２は図１の(a) のＸ−Ｘ線拡大断面図、図３は側面図、図４は底面図である。これらの図面から分かるように、この湯たんぽＡは金属製の湯たんぽ本体１を有し、この湯たんぽ本体１は、鋼板のプレス加工によって、横断面及び縦断面が何れも略々下向きコ字状に形成される（図２及び図３参照）と共に、上面側が平坦面に形成された上板部２と、同様にして鋼板のプレス加工により、横断面及び縦断面が何れも略々上向きコ字状に形成される（図２及び図３参照）と共に、下面側が平坦面に形成された下板部３と、からなるもので、上板部２と下板部３とは、接合縁部２ａ，３ｂ同士をはぜ締め加工又はかしめ加工することにより一体的に接合されていて、上板部２の平坦面部２ｏと下板部３の平坦面部３ｏとは互いに平行に形成されている。
【００１６】
また、湯たんぽ本体１の上板部２及び下板部３には、図２から分かるように、夫々湯たんぽ本体１の内面側に突出して横方向（湯たんぽ本体１の長手方向と直交する方向）に延びる補強リブ４，５が夫々縦方向（湯たんぽ本体１の長手方向）に一定ピッチで複数条形成されている。即ち、上板部２には平坦面部２ｏに、下向きに突出して横方向に延びる補強リブ４が縦方向に一定ピッチで複数条形成され、下板部３には平坦面部３ｏに、上向きに突出して横方向に延びる補強リブ４が縦方向に一定ピッチで複数条形成されている。
【００１７】
また、上板部２の一端部には、湯出し入れ口６が設けられていて、これを開閉するキャップ７が装着され、このキャップ７には開閉操作用の把手８が取り付けられている。この湯出し入れ口６は、この湯たんぽＡを氷枕として使用する場合に氷の塊片を容易に入れることができるように、内径が６０〜１００ｍｍと非常に大きく形成されている。
【００１８】
湯出し入れ口６の内径を６０ｍｍよりも小さくすると、氷の塊片を湯たんぽ本体１内に入れる時に入れ難くなる。この場合、氷の塊片を小さくすれば、湯出し入れ口６の内径が６０ｍｍ以下でも問題がないように思われるが、湯たんぽＡを氷枕として使用する場合、長い時間氷枕としての機能を持続させるためには、氷の塊片は出来るだけ大きいもの、好ましくは３０〜５０ｍｍ径のものがよいから、このように径の大きい塊片を湯たんぽ本体１の中に容易に入れるようにするには、湯出し入れ口６の内径は少なくとも６０ｍｍ程度が必要となる。また、湯出し入れ口６の内径を１００ｍｍ程度以上に大きくすれば、これを閉栓するキャップ７の径が大きくなって、湯たんぽＡの重量が増大すると共に、コストが高くつき、熱損失も大きくなる。このような理由から、湯出し入れ口６の内径は６０〜１００ｍｍとしている。
【００１９】
因みに、湯たんぽ本体１の寸法を参考までに例示すれば、湯たんぽ本体１の長径（長手方向の径）は約２９ｃｍで、そのうち上板部２及び下板部３の平坦面部２ｏ，３ｏの長径は夫々約２５ｃｍとされ、また湯たんぽ本体１の短径（湯たんぽ本体１の長手方向と直交する方向の径）は約２１ｃｍで、そのうち上板部２及び下板部３の平坦面部２ｏ，３ｏの短径は夫々約１７ｃｍとされる。また湯たんぽ本体１の厚さは約６ｃｍとされる。また、湯たんぽ本体１を形成する鋼板の板厚は約０．５ｍｍである。
【００２０】
尚、従来の湯たんぽでは湯出し入れ口の内径が２０ｍｍ程度と小さいのに対し、本考案に係る湯たんぽＡの湯出し入れ口６は、内径が６０〜１００ｍｍと大きく、従来の湯たんぽの湯出し入れ口６の３〜５倍の大きさとなっている。このように本考案の湯たんぽＡの湯出し入れ口６を大きく形成できるのは、湯たんぽ本体１の上面側が平坦面に形成されているからであり、従来の湯たんぽでは、湯たんぽ本体の上面側が凸曲面状に形成されているから、その上面側に設ける湯出し入れ口は、精々２０ｍｍ程度の内径にしか形成できないのである。
【００２１】
この実施形態では、図１に示すように湯出し入れ口６を上板部２の中央部に設けているが、湯出し入れ口６は、上板部２の中央部に限らず、上板部２の平坦面部２ｏであれば、その縦方向（長手方向）の端部や横方向の端部など任意の位置に設けることができる。
【００２２】
湯たんぽ本体１の上板部２及び下板部３を夫々形成する鋼板には表面処理鋼板が使用される。この表面処理鋼板としては、鋼板表面に錫メッキを施したブリキ、また鋼板表面に亜鉛メッキを施したトタン、あるいは鋼板表面にアルミニウムを溶融メッキしたアルミメッキ鋼板などがある。また、上板部２及び下板部３を夫々形成する鋼板以外の金属板としては、電気抵抗の大きいチタン又はその合金などからなる板材が使用される。
【００２３】
いずれにしても、この湯たんぽ本体１は、電磁調理器で加熱できるものでなければならないから、陶器やセラミックなどの非金属のものや、金属であっても、アルミニウムや銅のような電気抵抗の小さい非磁性体材料は使用することができない。
【００２４】
上記のような構成よりなる湯たんぽＡの使用について説明すると、先ず、この湯たんぽＡを身体などを温めるといった本来の目的で使用する場合には、図２に示すように、湯たんぽ本体１内に水Ｗを入れて満杯にした状態で、湯出し入れ口６のキャップ７を閉める。この場合、湯たんぽ本体１は、上面側及び下面側が夫々平坦面に形成されていると共に、上面側の平坦面部２ｏと下面側の平坦面部３ｏが互いに平行に形成されていることから、湯たんぽ本体１内の上部内にほとんど空気層を形成することなく、湯たんぽ本体１内に水を有効に充填することができる。
【００２５】
こうして湯たんぽ本体１内に水を充填した後、この湯たんぽ本体１を電磁調理器により加熱する。この場合、図示は省略するが、湯たんぽ本体１を電磁調理器のトッププレート上に載せた時、湯たんぽ本体１の下面側が平坦面部３ｏを形成しているから、この湯たんぽ本体１の下面側全体がトッププレートの上面に当接乃至近接した状態となり（補強リブ５の凹部はトッププレートに対し近接した状態となる）、従って湯たんぽ本体１を極めて効率良く加熱でき、その中の水を短時間で加熱することができる。また、湯たんぽ本体１の下面が平坦面となっていることから、湯たんぽ本体１をトッププレート上に安定良く載せることができ、湯たんぽ本体１が揺れたり、ガタついたりすることがない。
【００２６】
一方、この湯たんぽＡを氷枕として使用する場合には、湯出し入れ口６より湯たんぽ本体１内に所要量の水を入れた後、この湯出し入れ口６より氷の塊片を投入する。この際、氷の塊片としては、径が３０〜５０ｍｍといった大きな塊片をそのまま湯出し入れ口６内に容易に入れることができる。また、このように大きな径の氷の塊片を湯たんぽ本体１内に入れることによって、氷の状態を長くもたせることができ、氷枕として長い時間有効に使用することができる。
【００２７】
しかして、氷枕として使用する際には、湯たんぽ本体１の上面側が平坦面部２ｏを形成していることから、使用者の頭を載せ易く、まか安定状態に載せることができると共に、使い心地が良くなる。
【００２８】
更に、この湯たんぽＡにあっては、湯たんぽ本体１の上面側及び下面側に補強リブ４，５が形成されているから、湯たんぽ本体１を形成する上板部２及び下板部３の板厚が薄くても、この補強リブ４，５によって湯たんぽ本体１に十分な剛性が確保され、従って湯たんぽ本体１を軽量にすることができる。
【図面の簡単な説明】
【００２９】
【図１】(a) は本考案に係る湯たんぽの平面図、(b) は正面図である。
【図２】図１の(a) のＸ−Ｘ線拡大断面図である。
【図３】同湯たんぽの側面図である。
【図４】同湯たんぽの底面図である。
【符号の説明】
【００３０】
Ａ            湯たんぽ
１            湯たんぽ本体
２            上板部
２ｏ          上板部の平坦面部
３            下板部
３ｏ          下板部の平坦面部
４，５        補強リブ
６            湯出し入れ口
【図１】
0003122300.tif 000003
【図２】
0003122300.tif 000004
【図３】
0003122300.tif 000005
【図４】
0003122300.tif 000006